(57)【要約】【課題】停止させるべき折丁を、停止させずに下流側に流すべき折丁と明確に区別して停止させることのできる折丁一時停止装置を提供する。【解決手段】コンベヤ２上を水平方向にずれ重なって列をなして搬送される折丁４のエッジ部分を検出するエッジ検出手段５と、コンベヤ２の搬送速度を検出する速度検出手段と、搬送される折丁４を上から押さえて折丁の流れを一時的に堰き止める第１押さえストッパー６と、速度検出信号、及びエッジ検出手段５の検出位置から第１押さえストッパー６による押さえ位置までの距離から、第１押さえストッパー６の作動タイミングを演算し、第１押さえストッパー６を作動させる制御手段７と、を有し、制御手段７は、前記エッジ検出信号に基づいて折丁４のピッチを演算し、ピッチ値に基づいて、停止させるべき折丁のうち停止させずに下流側に流すべき折丁と重なっていない部位を第１押さえストッパー６によって押さえる。【選択図】    図１
2004352418.tif 000002
【特許請求の範囲】
【請求項１】
コンベヤ上を水平方向にずれ重なって列をなして搬送される折丁の流れを一時的に堰き止める折丁一時停止装置であって、
ずれ重なって搬送される折丁のエッジ部分を検出するエッジ検出手段と、
前記コンベヤの搬送速度を検出する速度検出手段と、
搬送される折丁を上から押さえて折丁の流れを一時的に堰き止める第１押さえストッパーと、
前記速度検出手段からの速度検出信号、及び前記エッジ検出手段の検出位置から前記第１押さえストッパーによる押さえ位置までの距離から、前記第１押さえストッパーの作動タイミングを演算し、該第１押さえストッパーを作動させる制御手段と、を有し、
前記制御手段は、前記エッジ検出信号に基づいてずれ重なって搬送される折丁のピッチを演算し、その演算されたピッチ値に基づいて、停止させるべき折丁のうち停止させずに下流側に流すべき折丁と重なっていない部位を前記第１押さえストッパーによって押さえるように該第１押さえストッパーの作動タイミングを演算することを特徴とする折丁一時停止装置。
【請求項２】
前記第１押さえストッパーと連動する瀬切り装置を更に備え、該瀬切り装置は、前記第１押さえストッパーによって停止された折丁に後続して搬送される折丁の流れに一時的にブレーキをかけるために折丁の上を押さえる押さえプレートと、該押さえプレート又は折丁の流れを搬送方向と逆の方向に押し撫でるように移動する押圧体とを備えることを特徴とする請求項１記載の折丁一時停止装置。
【請求項３】
前記第１押さえストッパーの上流側に配置され、且つ、停止されるべき折丁と停止させずに下流側に流すべき折丁とのずれ重なりピッチを広げる仮止めストッパーを更に有し、該仮止めストッパーは、前記エッジ検出手段からの検出信号に基づいて作動し、ずれ重なって搬送される折丁のエッジ部分に一時的に係止する係止手段を備えることを特徴とする請求項１又は２に記載の折丁一時停止装置。
【請求項４】
前記第１押さえストッパーの下流側に該第１押さえストッパーの作動に所定時間遅れて作動する第２押さえストッパーを更に備え、該第２押さえストッパーは、前記第１押さえストッパーによって押圧されている折丁の直下流側にある折丁を押さえるように配置されていることを特徴とする請求項１〜３の何れかに記載の折丁一時停止装置。
【請求項５】
前記コンベアは、前記第１押さえストッパーの押さえ位置の直下流側において搬送高さ位置が低くなる段差を有することを特徴とする請求項１〜４の何れかに記載の折丁一時停止装置。
【請求項６】
前記エッジ検出手段が、ずれ重なって搬送される折丁のエッジ部分の段差を検出する光学式検出器であることを特徴とする請求項１〜５の何れかに記載の折丁一時停止装置。
【請求項７】
前記第１押さえストッパーと対向して配置され前記コンベア上の折丁を該コンベアから若干持ち上げるように上昇可能な第１昇降体を更に備えることを特徴とする請求項１〜６の何れかに記載の折丁一時停止装置。
【請求項８】
前記第２押さえストッパーと対向して配置され前記コンベア上の折丁を該コンベアから若干持ち上げるように上昇可能な第２昇降体を更に備えることを特徴とする請求項４記載の折丁一時停止装置。
【請求項９】
前記押さえプレートと対向して配置され前記コンベア上の折丁を該コンベアから若干持ち上げるように上昇可能な昇降プレートを更に備えることを特徴とする請求項２記載の折丁一時停止装置。
【発明の詳細な説明】
【０００１】
【発明の属する技術分野】
本発明は、輪転機等から排紙された後、コンベヤ上を少しずつずれ重なって搬送される折丁の流れを一時的に堰き止める折丁の一時停止装置に関する。
【０００２】
【従来の技術】
従来、輪転機の折機等から排出された折丁は、コンベヤ上を少しずつずれ重なった状態で搬送され、スタッカーによって自動的に突き揃え、員数し、積重ねられた後、バンドラーによって結束されることが知られている。
【０００３】
折丁の員数は、たとえば輪転機に付帯する羽根車の枚数を検出された信号に基づく方法や、ずれ重なって搬送される折丁のエッジ部分の段差を検出することによる方法が知られている（例えば、特許文献１，２参照）。
【０００４】
また、スタッカーにおいては、コンベア上をずれ重なって搬送される折丁を小束集積部において積重ねるが、所定部数が集積された時点でその折丁集積体（即ち、小束）を小束集積部からプッシャーによって次工程（バンドラー）に排出するために、後流の折丁を仮受けする仮受け板が小束集積部に進入するまでの間、小束集積部に搬送されてくる折丁の流れをコンベア上で一時的に堰き止めることが必要になる。このとき、コンベアには前工程の輪転機から連続的に折丁が排紙されてくるため、コンベア自体は停止せずそのまた走向を続けている。
【０００５】
このような折丁の流れを一時的に堰き止める手段として、搬送される折丁の流れに一時的にブレーキをかけるために折丁の上を押さえる押さえプレートと、該押さえプレートを搬送方向と逆の方向に押し撫でるように移動する押圧体とを備える、いわゆる瀬切り装置が知られている（例えば、特許文献３，４）。
【０００６】
この出願の発明に関連する先行技術文献情報としては、次のものがある。
【０００７】
【特許文献１】
特開平１０−１４９４１９号公報
【０００８】
【特許文献２】
特開平１０−１４９４２０号公報
【０００９】
【特許文献３】
特公平５−５７１８６号公報
【００１０】
【特許文献４】
実公平８−５１７９号公報
【００１１】
【発明が解決しようとする課題】
しかしながら、瀬切り装置の作動タイミングによっては、折丁の停止が不十分となることがある。
【００１２】
折丁は、例えば、２０ｍ／分以上の速度で搬送されており、折丁を排紙する輪転機等の回転数の変化に応じて、折丁の搬送速度を変更する必要があるため、折丁を搬送するコンベアの回転数を輪転機等の回転数に同期させている。
【００１３】
一般に搬送速度の速いほど、即ち回転数が大きいほど搬送される折丁間のピッチは狭くなる。また、輪転機の回転数が高速回転から低速回転に変更された場合、コンベアの回転数もそれに同期するが、輪転機から搬送されてくる折丁は高速印刷されたものが搬送されてくるため、小束集積部に到達するまでのタイムラグを考慮していないと、コンベア上で急激にピッチが狭くなることがある。
【００１４】
折丁のピッチが狭くなると、瀬切り装置によって折丁の流れを押さえるタイミングによっては、停止させずに下流側（例えば、小束集積部）に流すべき折丁にも少なからず押圧力等が作用してコンベアによってズルズルと引きずれられるように搬送される現象が生じ、その結果、その折丁が小束集積部に到達した時には既に小束集積部においてプッシャーが折丁集積体を排出する操作が開始され、小束集積部に進入する仮受け板に挟まれたり、変形したりすることがあった。
【００１５】
そこで、本発明は上記のような問題を解消するため、停止させるべき折丁を、停止させずに下流側に流すべき折丁と明確に区別して停止させることのできる折丁一時停止装置を提供することを目的とする。
【００１６】
【課題を解決するための手段】
本発明の上記目的は、コンベヤ上を水平方向にずれ重なって列をなして搬送される折丁の流れを一時的に堰き止める折丁一時停止装置であって、ずれ重なって搬送される折丁のエッジ部分を検出するエッジ検出手段と、前記コンベヤの搬送速度を検出する速度検出手段と、搬送される折丁を上から押さえて折丁の流れを一時的に堰き止める第１押さえストッパーと、前記速度検出手段からの速度検出信号、及び前記エッジ検出手段の検出位置から前記第１押さえストッパーによる押さえ位置までの距離から、前記第１押さえストッパーの作動タイミングを演算し、該第１押さえストッパーを作動させる制御手段と、を有し、前記制御手段は、前記エッジ検出信号に基づいてずれ重なって搬送される折丁のピッチを演算し、その演算されたピッチ値に基づいて、停止させるべき折丁のうち停止させずに下流側に流すべき折丁と重なっていない部位を前記第１押さえストッパーによって押さえるように該第１押さえストッパーの作動タイミングを演算することを特徴とする折丁一時停止装置により達成される。
【００１７】
前記第１押さえストッパーと連動する瀬切り装置を更に備え、該瀬切り装置は、前記第１押さえストッパーによって停止された折丁に後続して搬送される折丁の流れに一時的にブレーキをかけるために折丁の上を押さえる押さえプレートと、該押さえプレート又は折丁の流れを搬送方向と逆の方向に押し撫でるように移動する押圧体とを備えることが好ましい。この場合、前記押さえプレートと対向して配置され前記コンベア上の折丁を該コンベアから若干持ち上げるように上昇可能な昇降プレートを更に備えることが好ましい。
【００１８】
前記第１押さえストッパーの上流側に配置され、且つ、停止されるべき折丁と停止させずに下流側に流すべき折丁とのずれ重なりピッチを広げる仮止めストッパーを更に有し、該仮止めストッパーは、前記エッジ検出手段からの検出信号に基づいて作動し、ずれ重なって搬送される折丁のエッジ部分に一時的に係止する係止手段を備えることが好ましい。
【００１９】
前記第１押さえストッパーの下流側に該第１押さえストッパーの作動に所定時間遅れて作動する第２押さえストッパーを更に備え、該第２押さえストッパーは、前記第１押さえストッパーによって押圧されている折丁の直下流側にある折丁を押さえるように配置されていることが好ましい。この場合、前記第２押さえストッパーと対向して配置され前記コンベア上の折丁を該コンベアから若干持ち上げるように上昇可能な第２昇降体を更に備えることが好ましい。
【００２０】
前記コンベアは、前記第１押さえストッパーの押さえ位置の直下流側において搬送高さ位置が低くなる段差を有することが好ましい。
【００２１】
前記エッジ検出手段が、ずれ重なって搬送される折丁のエッジ部分の段差を検出する光学式検出器であることが好ましい。
【００２２】
前記第１押さえストッパーと対向して配置され前記コンベア上の折丁を該コンベアから若干持ち上げるように上昇可能な第１昇降体を更に備えることが好ましい。
【００２３】
【発明の実施の形態】
本発明の好ましい実施形態について以下に図面を参照して説明する。なお、以下の実施形態については、スタッカーを例として説明する。なお、全図を通し、同様の構成部分には同符号を付した。
【００２４】
スタッカー１は、コンベア２の下流側に小束集積部３を備えている。コンベア２の上流側には、コンベア２上をずれ重なって搬送される折丁４のエッジ部分を検出するエッジ検出手段５が配置され、エッジ検出手段５と小束集積部３との間に、コンベア２上を搬送される折丁４を上から押さえて折丁４の流れを一時的に堰き止める第１押さえストッパー６が配置されている。なお、図において符号２０は、小束プッシャーを示す。
【００２５】
図示例の第１押さえストッパー６は、図外のフレームに固定された流体圧シリンダー６ａと、流体圧シリンダー６ａに備えられたピストンロッド６ｂと、ピストンロッド６ｂの先端に固定された押圧片６ｃとを備えている。押圧片６ｃは、搬送されてくる折丁４が引っかからないように上流側に向けて上方に傾斜する傾斜部と、折丁４を押圧するための平坦部とを有している。
【００２６】
コンベア２の回転数は、図外の速度検出手段、例えばロータリーエンコーダによって検出されている。折丁の員数は、エッジ検出手段５からの検出信号に基づいて、カウンターＩＣ等で構成される計数手段（図示せず）によって計数されている。
【００２７】
エッジ検出手段５としては、搬送される折丁に照射した光の反射光により表面高さ変位を検出する光学式検出器を使用することができる。ずれ重なって搬送される折４丁のエッジ部分には段差が生じるため、その段差を検出することにより折丁のエッジ部分を検出することができる。光学式検出器は、レーザー光で作用するものが好ましいが、発光ダイオード又は他の光源を使用することもできる。光学式検出器と計数手段とを兼ね備えたものとして、レーザーカウンターがあり、例えば、スイス国のＢａｕｍｅｒ  ｅｌｅｃｔｒｉｃ  ＡＧ社を製造元とするレーザーカウンターＳＣＡＴＥＣ−１を使用することができる。なお、光学式検出器に代えて、超音波検出器を使用することも可能である。
【００２８】
プログラマブルコントローラ等で構成される制御手段７は、前記計数手段からの計数信号、速度検出手段からの速度検出信号、及びエッジ検出手段５の検出位置から第１押さえストッパー６による押さえ位置に至るまでの距離から、第１押さえストッパー６の作動タイミングを演算し、停止させるべき折丁４が搬送されてきたところで第１押さえストッパー６を作動させる。第１押さえストッパー６が折丁４を押さえている時間は、例えば、０．１〜０．５秒である。
【００２９】
制御手段７は、図２に示すように、エッジ検出手段５からのエッジ検出信号と速度検出手段によって検出されたコンベアの搬送速度に基づいて、ずれ重なって搬送される折丁４のエッジ部４ａのピッチＰを演算し、その演算されたピッチ値に基づいて、停止させるべき折丁４のうち停止させずに下流側に流すべき折丁４と重なっていない部位Ａを第１押さえストッパー６によって押さえるように第１押さえストッパー６の作動タイミングを演算する。図２において、停止させるべき折丁４は、計数手段によってカウントされた所定カウント数の折丁４２である。
【００３０】
こうして停止させるべき折丁４（図２の４２）のうち停止させずに下流側に流すべき折丁４（図２の４１）とを明確に区別し、停止させるべき折丁４２のうち停止させずに下流側に流すべき折丁４１と重なっている部分Ｂを押さえないようにして、重なっていない部分Ａを押さえるように制御することにより、停止させるべき折丁４２を確実に停止させ、下流側に流すべき折丁４１が流れるようにすることができる。第１押さえストッパー６が停止させるべき折丁４２を押さえる部位は、停止させずに下流側に流すべき折丁４１からできるだけ離れていることが好ましい。
【００３１】
停止させるべき折丁４２を第１押さえストッパー６によって押さえた時に、その折丁４２と流すべき先行の折丁４１とが重なっている部分Ｂに摩擦抵抗が生じ得る。生じる摩擦抵抗の大きさは搬送される折丁の材質や大きさ等にもよるが、その摩擦抵抗によって流すべき折丁４１が少しだけ遅れて流れてしまう畏れがある。そしてその遅れる度合いによっては、後工程の小束集積部３にその折丁４１が遅れて到達した際には既に小束集積部３での排出操作が開始され、仮受け板８（図１参照）が小束集積部３に進入を開始してい場合が起こり得る。そのような事態が生じると、その遅れて流れてきた折丁４が仮受け板８に挟まれる等の不具合を生じかねない。
【００３２】
そこで、図３に示すように、第１押さえストッパー６の直ぐ下流側位置に第２押さえストッパー９を配置しておき、第２押さえストッパー９を第１押さえストッパー６の作動に所定時間遅れて作動させることにより、第１押さえストッパー６によって押圧されている折丁４の直ぐ下流側にある折丁４を一時的に押さえることによって、上記のような不具合を解消することができる。
【００３３】
なお、こうして第２押さえストッパー９によって停止させられた折丁４１は、次の小束集積において集積されるため、先に集積された小束は一枚不足することになるが、小束集積部３に集積される折丁の枚数を必要枚数より少なくとも１枚多くなるように設定しておけば必要枚数に不足が生じることはない。
【００３４】
第２押さえストッパー９が第１押さえストッパー６に遅れる時間は、コンベア２の搬送速度等にもよるが、例えば、コンベアの搬送速度が２４ｍ／分のときに０．１〜０．３秒遅らせる。第２押さえストッパー９は、第１押さえストッパー６の押さえ解除と同時に押さえ解除作動するように制御されている。第２押さえストッパー９の制御は、制御手段７によって制御され得る。
【００３５】
第２押さえストッパー９の作動タイミングは、コンベア２の搬送速度及び折丁４のピッチＰに基づいて演算することもできる。例えば、搬送速度が速い場合やピッチＰが狭い場合は、作動タイミングを少し遅くし、逆の場合、即ち搬送速度が遅い場合やピッチが広い場合は作動タイミングを早めることができる。
【００３６】
上記のように隣り合って重なる折丁の摩擦抵抗による不具合を解消する別の手段として、ずれ重なって搬送される折丁のピッチを、図４に示すような仮止めストッパー１０によって広げることができる。
【００３７】
仮止めストッパー１０は、第１押さえストッパー６の上流側であって、エッジ検出手段５の下流側に配置される。仮止めストッパー１０は、揺動自在に支持され、自由端部にＬ字状又は鉤状の係止手段１０ａを備えている。係止手段１０ａの先端は、尖端状とすることが好ましい。係止手段１０ａは、搬送されてくる折丁４のエッジ部分４ａに当接するか、或いは、重なっている折丁４と折丁４との間に進入することができ、図外の駆動手段によって作動する。なお、仮止めストッパー１０は、揺動する構成でなく単に上下に昇降動するものであっても良い。
【００３８】
仮止めストッパー１０は、既述したピッチに関する信号と、エッジ検出手段５の検出信号と、コンベア２の搬送速度信号とに基づいて作動タイミングが制御され、所望の停止させるべき折丁４に僅かの時間（例えば、０．３〜０．７秒）だけ一時的に係止して、停止させるべき折丁４とそのまま流すべき先行の折丁４とのピッチを広げることができる。仮止めストッパー１０の制御は、制御手段７によって制御され得る。
【００３９】
こうして折丁のピッチを広げることにより、第１押さえストッパー６によって押さえられる折丁４が、その直下流側にある折丁４との間に摩擦抵抗を生じ無くさせるか或いは少なくさせることができ、上記したように小束集積部３に所定枚数の最後の一枚が遅れて搬送されてくるというような不具合が解消され得る。
【００４０】
上記のように隣り合って重なる折丁の摩擦抵抗による不具合を解消する更に別の手段として、図５に示すように、コンベア２に段差１１を設けることができる。
【００４１】
図示例において、コンベア２は、複数本の紐状ベルト２ａがプーリー２ｂにエンドレスに巻回されている。また、コンベア２は、必要な搬送距離に応じて搬送方向に幾つかが並べて配置される。そこで、図示のように、搬送方向に並べて配置されたコンベア２，２の境界部分において段差１１を設け、上流側に配置されたコンベア２の該境界部分の近傍に第１押さえストッパー６を配置する。
【００４２】
具体的には、上流側に配置されているコンベア２のプーリー２ｂ（図５の左側に表されているプーリー）よりも、下流側に配置されているプーリー２ｂ（図５の右側に表されているプーリー）の高さを低くすることにより段差１１を設けることができ、上流側に配置されているコンベア２の下流側プーリー２ｂ（図５の左側に表されているプーリー）の直上に第１押さえストッパー６を配置している。段差１１の高さは、折丁４の厚み寸法より少し大きく設定しておくことが好ましく、例えば、１０〜２０ｍｍとすることができる。
【００４３】
第１押さえストッパー６によって所望の折丁４を押さえたときに、その押さえられている折丁４に後続する上流側の折丁４の流れに乱れがないように、図６に示すように、第１押さえストッパー６の上流側に瀬切り装置１２を設けることが好ましい。すなわち、後続する折丁のずれ重なって搬送される流れが第１押さえストッパー６によって一時的に堰き止められると、後続する折丁のピッチは狭まり、偶発的に、上流側にある折丁が下流側にある折丁を越えて下流側に少し飛び出してしまう畏れがある（このような現象を「逆オーバーラップ現象」という。）。
【００４４】
斯かる逆オーバーラップ現象を防止するために瀬切り装置が使用される。瀬切り装置１２は、図６に示すように、コンベア２上を搬送される折丁４の流れに一時的にブレーキをかけるために折丁４の上を押さえる押さえプレート１３と、押さえプレート１３を搬送方向と逆の方向に押し撫でるように移動する押圧体１４を備えることができる。
【００４５】
押さえプレート１３は、図外のフレームに昇降動自在に支持されており、コンベア２に対して接近又は離反することができる。図示の例では、一端が第１押さえストッパー６のピストンロッド６ｂに連結されており、ピストンロッド６ｂの昇降とともに昇降するようになっている。押圧体１４は、一端が軸１４ｄによって回転自在に支持され他端がピストンロッド６ｂに連結された薄型シリンダー１４ａと、薄型シリンダー１４ａ内に流出入するエアにより該シリンダー上を往復動するスライダー１４ｂと、スライダー１４ｂに回転自在に支持されたホイール状のローラ１４ｃと、で構成されており、押さえプレート１３に押圧力を付与しつつ押さえプレート１３上を転がって往復移動することができる。ローラ１４ｃが移動する速度は、コンベア２の搬送速度に応じて変えることができる。
【００４６】
従って、瀬切り装置１２は、第１押さえストッパー６と連動するようになっている。すなわち、第１押さえストッパー６が作動すると、瀬切り装置１２も同時に作動し、後続する折丁の流れを瀬切る。
【００４７】
瀬切り装置１２の押圧体１４は、押さえプレート１３を押さえるのではなく、押さえプレート１３の側方に平行して配置されて、後続する折丁の流れの上を直接押し撫でるように移動する構成であっても良い。
【００４８】
斯かる瀬切り装置１２の作動により、第１押さえストッパー６によって堰き止められた後続の折丁の流れは、一時的にブレーキがかけられて前記逆オーバーラップ現象が防止される。
【００４９】
第１押さえストッパー６、第２押さえストッパー９、瀬切り装置１２が作動して折丁４に上から押圧力が加わっている時においても、コンベア２は停止せずに連続駆動しているから、斯かる押圧力を受けている折丁とコンベア２との間の摩擦抵抗が増すことになる。斯かる摩擦抵抗の増加によって、押圧力を受けて一時停止させられている折丁の流れのピッチに変動が生じる可能性がある。
【００５０】
そのため、第１押さえストッパー６等によって上から押圧力を受ける折丁をコンベア２から少し浮かせることにより前記摩擦抵抗を減少させてピッチ変動を無くすために、図７に示すように、折丁をコンベア２から若干持ち上げるように上昇可能な昇降体１５を備えることが好ましい。
【００５１】
第１、第２、及び第３昇降体１５ａ、１５ｂ、１５ｃは、図外のフレームの固定された基台プレート１６上に固定されたシリンダー１５ａ１、１５ｂ１、１５ｃ１によって昇降自在に支持されるとともに、それぞれが対応する瀬切り装置１２、第１押さえストッパー６、及び第２押さえストッパー９に対向して配置され、それらの作動と連動又は独立した系統で駆動することができる。
【００５２】
なお、図示例において、第３昇降体１５ａは、押さえプレート１３に対応して延びるプレートによって構成されている。
【００５３】
昇降体１５ａ〜１５ｃは、下降位置ではコンベア２の搬送面より下の位置にあり、上昇位置では折丁４をコンベア２から若干（例えば、５〜１０ｍｍ）持ち上げる位置となる。従って、コンベア２は折丁４の一時停止中も連続駆動していても、昇降体１５ａ〜１５ｃが折丁４をコンベア２から若干持ち上げることによってコンベア２と折丁との摩擦抵抗を減少させる。
【００５４】
そして第１昇降体１５ａ、第２昇降体１５ｂ、及び第３昇降体１５ｃによってコンベア２から少し持ち上がられた折丁が、これら第１昇降体１５ａ、第２昇降体１５ｂ、及び第３昇降体１５ｃと、瀬切り装置１２、第１押さえストッパー６、及び第２押さえストッパー９とによって、挟みつけられる。
【００５５】
なお、昇降体１５は、その目的を達成するため、少なくとも第１押さえストッパー６、第２押さえストッパー９、瀬切り装置１２が折丁４を押さえるよりも前に折丁４を持ち上げるように作動する。
【００５６】
【発明の効果】
以上の説明から明らかなように、本発明に係る折丁一時停止装置によれば、ずれ重なって流れる折丁のエッジ部分を検出し、該検出信号に基づいてピッチを計算し、停止させるべき折丁のうち停止させずに下流側に流すべき折丁と重なっていない部位を第１押さえストッパーによって押さえて停止させることとしたので、停止させるべき折丁を、停止させずに下流側に流すべき折丁と明確に区別して停止させることができる。
【００５７】
また、前記第１押さえストッパーの上流側に配置され、且つ、停止されるべき折丁と停止させずに下流側に流すべき折丁とのずれ重なりピッチを広げる仮止めストッパーを備えることによって、停止させるべき折丁を、停止させずに下流側に流すべき折丁といっそう明確に区別して停止させることができる。
【００５８】
また、前記第１押さえストッパーの下流側に該第１押さえストッパーの作動に所定時間遅れて作動する第２押さえストッパーを設け、該第２押さえストッパーが、前記第１押さえストッパーによって押圧されている折丁の直下流側にある折丁を押さえるように配置することにより、停止させるべき折丁を、停止させずに下流側に流すべき折丁といっそう明確に区別して停止させることができる。
【００５９】
また、前記コンベアに、前記第１押さえストッパーの押さえ位置の直下流側において搬送高さ位置が低くなる段差を設けることによっても、停止させるべき折丁を、停止させずに下流側に流すべき折丁といっそう明確に区別して停止させることができる。
【図面の簡単な説明】
【図１】本発明に係る一時停止装置の一実施形態を備えるスタッカーを示す側面図である。
【図２】図１の一時停止装置を一部拡大して示す側面図である。
【図３】本発明の構成要素である第２押さえストッパーの一実施形態を示す側面図である。
【図４】本発明の構成要素である仮止めストッパーの一実施形態を示す側面図である。
【図５】本発明の構成要素であるコンベアの段差を示す側面図である。
【図６】本発明の構成要素である瀬切り装置の一実施形態を示す側面図である。
【図７】本発明の構成要素である昇降体の一実施形態を示す側面図である。
【符号の説明】
１  スタッカー
２  コンベア
３  小束集積部
４  折丁
５  エッジ検出手段
６  第１押さえストッパー
７  制御手段
８  仮受け板
９  第２押さえストッパー
１０  仮止めストッパー
１１  段差
１２  瀬切り装置
１３  押さえプレート
１４  押圧体
【図１】
2004352418.tif 000003
【図２】
2004352418.tif 000004
【図３】
2004352418.tif 000005
【図４】
2004352418.tif 000006
【図５】
2004352418.tif 000007
【図６】
2004352418.tif 000008
【図７】
2004352418.tif 000009